(57)【要約】【課題】装置を天吊り設置したまま容易に部品交換が可能となり、メンテナンス時の作業効率が向上する光学装置及びそれを用いた投写型映像表示装置を提供する。【解決手段】光学装置は、光学部品を有するフレーム６３を筐体の所定位置に取り付ける光学装置であって、フレーム６３は、筐体との位置決めがされたときに筐体と固定される主固定部６３７ａ、６３７ｂと、主固定部における固定が解かれた場合であっても、筐体との仮の固定を実現するための補助固定部６３１ａ、６３１ｂとを有する。【選択図】図１７
2010134296.tif 000002
【特許請求の範囲】
【請求項１】
光学部品を有するフレームを筐体の所定位置に取り付ける光学装置であって、
フレームは、
筐体との位置決めがされたときに筐体と固定される主固定部と、
主固定部における固定が解かれた場合であっても、筐体との仮の固定を実現するための補助固定部と、
を有することを特徴とする光学装置。
【請求項２】
フレームは筐体との相対位置が調節可能であり、その調整のために主固定部における固定が解かれた場合、相対位置の調整範囲内において、補助固定部が筐体との仮の固定を実現するよう構成されていることを特徴とする請求項１に記載の光学装置。
【請求項３】
請求項１または請求項２に記載の光学装置を備え、光源から出射された光を映像信号に基づいて変調および出力することを特徴とする投写型映像表示装置。
【請求項４】
フレームは、主固定部における固定が解かれた場合、補助固定部がなければ筐体から外れて落下する位置関係にて筐体に取り付けられることを特徴とする請求項３に記載の投写型映像表示装置。
【発明の詳細な説明】
【技術分野】
【０００１】
本願発明は、光学装置及びそれを用いた投写型映像表示装置に関するものである。
【背景技術】
【０００２】
投写型映像表示装置、例えば液晶プロジェクタの光学系（光学装置）に使用されるＲＧＢ各色用の液晶パネルや偏光板などは、長期使用した場合、劣化により交換する必要がでてくる。交換の際には通常、本体ケースを開けて部品交換をする必要があり、メンテナンス時の作業工数が多くなる。
【０００３】
このような問題を解決するため、本体ケース上面にメンテナンス用開口を形成して開閉可能な蓋体を設け、本体ケースを開けなくても、蓋体を開けるだけで部品交換や調整を可能とする技術が特許文献１に開示されている。
【特許文献１】特開平１１−４６０７７号公報
【発明の開示】
【発明が解決しようとする課題】
【０００４】
上記のような技術を利用することにより、部品交換の作業効率は向上する。しかし、この種の装置は天吊り状態で装置を上下反転して設置されることがある。天吊り状態のまま上記組み立て部品を交換しようとすると、組み立て部品を上方向に片手で押さえながらネジを外さなければネジを外した時に組み立て部品が落ちてしまうため、作業効率が悪いという問題点があった。また、一般に筐体に複数のネジでネジ止め固定されている偏光板のフレームのネジを一つずつ外した後に、ドライバー先端から取り外して作業を行う必要があり、天吊りしたままでの組み立て部品の交換は現実的ではなかった。そのため、天吊り設置された装置は一度天井から外して組み立て部品を交換しなければならないため、特にメンテナンスが困難であった。
【０００５】
本願発明はこのような課題を解決するためになされたものである。すなわち、装置を天吊り設置したまま容易に部品交換が可能となり、メンテナンス時の作業効率が向上する光学装置及びそれを用いた投写型映像表示装置を提供することを目的とするものである。
【課題を解決するための手段】
【０００６】
本発明のある態様は、光学装置に関する。この光学装置は、光学部品を有するフレームを筐体の所定位置に取り付ける光学装置であって、フレームは、筐体との位置決めがされたときに筐体と固定される主固定部と、主固定部における固定が解かれた場合であっても、筐体との仮の固定を実現するための補助固定部と、を有することを特徴とするものである。
【発明の効果】
【０００７】
本発明によれば、装置を天吊り設置したまま容易に部品交換が可能となり、メンテナンス時の作業効率が大幅に向上する。
【発明を実施するための最良の形態】
【０００８】
以下、本願発明の実施形態を図面を参照して詳細に説明する。
【０００９】
図１は、本願発明に係る投写型映像表示装置の一実施形態である液晶プロジェクタを示す斜視図、図２はその上ケースを取り外して示した斜視図である。
【００１０】
図１に示すように、この液晶プロジェクタ１の外郭を成す本体ケース２は、上ケース２ａと下ケース２ｂから成り、上ケース２ａを取り外すと図２に示すように内部が現れる。
【００１１】
本体ケース２の前面中央部には、投写レンズ３が露出する投写窓４が形成されている。また、本体ケース２の上面中央部には、メンテナンス用の開口５が形成され、このメンテナンス用開口５には開閉可能な蓋体６が設けられている。このメンテナンス用開口５の前側には、上記投写レンズ３を取り外すときに操作する投写レンズ取り外しボタン７が露出し、左側には操作表示部８が設けられている。さらに、右側後部側面には冷却用の通気孔９が形成されている。また、底面前端部の両側端には、高さ調整可能な脚部１０，１０が設けられている。
【００１２】
本体ケース２の内部には、図２に示すように、前面側から見て右側奥部に光源装置１１が配置されると共に、この光源装置１１から投写レンズ３に至る光学系１２が配置されている。上記光源装置１１の近傍には、光源装置１１や他の要冷却部を冷却するための冷却用ファン１３，１３が前記図１に示した通気孔９に面して設けられている
図３は、上記光学系１２の構成例を示す図である。なお、光学系１２は図３に示したものに限定されるものではなく、各種の光学系に本願発明は適用できる。
【００１３】
図３において、光源装置１１からの白色光は、第１インテグレータレンズ１４、絞り機構１５、第２インテグレータレンズ１６、スリット板１７、偏光ビームスプリッタ１８及びコンデンサレンズ（集光レンズ）１９等を経て、第１ダイクロイックミラー２０に導かれる。
【００１４】
第１インテグレータレンズ１４及び第２インテグレータレンズ１６は、複数のセルをマトリクス状に配列して成る耐熱ガラス製のフライアイレンズから構成され、光源装置１１から発せられる白色光の照度分布を均一化する機能を有している。また、スリット板１７は、アルミニウム薄板から構成され、偏光ビームスプリッタ１８に対する不要な入射光を遮断する機能を有し、偏光ビームスプリッタ１８は、光のＰ波及びＳ波のうち、一方の成分波のみを抽出する機能を有している。
【００１５】
偏光ビームスプリッタ１８を通過した光は、コンデンサレンズ１９を経て、第１ダイクロイックミラー２０に至る。第１ダイクロイックミラー２０は、光の青色成分のみを反射すると共に、赤色及び緑色成分を通過させる機能を有し、第２ダイクロイックミラー２１は、光の緑色成分を反射すると共に、赤色成分を通過させる機能を有している。従って、光源装置１１から発せられた白色光は、第１及び第２ダイクロイックミラー２０，２１によって、青色光，緑色光及び赤色光に分光される。第１ダイクロイックミラー２０で反射された青色光はフィールドミラー２２によって反射され、第２ダイクロイックミラー２１で反射された緑色光はそのまま、第２ダイクロイックミラー２１を通過した赤色光はフィールドミラー２３，２４で反射されて、それぞれ映像生成装置３０に導かれることになる。
【００１６】
映像生成装置３０は、立方体状の色合成プリズム３１の３つの側面にそれぞれ、偏光板３２ｒ，３２ｇ，３３ｂ等を介して赤色用液晶パネル３３ｒ、緑色用液晶パネル３３ｇ及び青色用液晶パネル３３ｂを取り付けて構成される。３枚の液晶パネル３３ｒ，３３ｇ，３３ｂの光入射側にはそれぞれ、各液晶パネル３３ｒ，３３ｇ，３３ｂに対する不要な光の成分波の入射を遮断するための光学補償板３４ｒ，３４ｇ，３４ｂや偏光板３５ｒ，３５ｇ，３５ｂが配置されている。
【００１７】
従って、第１ダイクロイックミラー２０及びフィールドミラー２２によって反射された青色光は、青色用の入射側偏光板３５ｂに導かれ、該入射側偏光板３５ｂ、青色用の光学補償板３４ｂ、青色用液晶パネル３３ｂ及び青色用の出射側偏光板３２ｂ等を経て、色合成プリズム３１へ至る。また、第２ダイクロイックミラー２１によって反射された緑色光は、緑色用の入射側偏光板３５ｇに導かれ、該入射側偏光板３５ｇ、緑色用の光学補償板３４ｇ、緑色用液晶パネル３３ｇ及び緑色用の出射側偏光板３２ｇを経て、色合成プリズム３１へ至る。同様に、第１ダイクロイックミラー２０及び第２ダイクロイックミラー２１を透過し、２枚のフィールドミラー２３、２４によって反射された赤色光は、赤色用の入射側偏光板３５ｒに導かれ、該入射側偏光板３５ｒ、赤色用の光学補償板３４ｒ、赤色用液晶パネル３３ｒ及び赤色用の出射側偏光板３２ｒを経て、色合成プリズム３１へ至る。
【００１８】
色合成プリズム３１に導かれた３色の映像光は、色合成プリズム３１により合成され、これによって得られるカラー映像光が、投写レンズ３を経て前方のスクリーンへ拡大投写されることになる。
【００１９】
上記色合成プリズム３１と各色用液晶パネル３３ｒ，３３ｇ，３３ｂ及び出射側偏光板３２ｒ，３２ｇ，３２ｂ等は一体にユニット化されたプリズム組み立て部品３６（図６，図７参照）として着脱可能に構成されており、また、入射側偏光板３５ｒ，３５ｇ，３５ｂ及び光学補償板３４ｒ，３４ｇ，３４ｂは、個別に着脱可能に構成されている。上記プリズム組み立て部品３６、入射側偏光板３５ｒ，３５ｇ，３５ｂ及び光学補償板３４ｒ，３４ｇ，３４ｂは、図４に示すようにメンテナンス用開口５の蓋体６を開放してメンテナンス可能となっている。
【００２０】
図５は、本実施形態における光源装置１１の要部構成及び作用を示す図であり、（ａ）は前面開口をやや右側から見た斜視図、（ｂ）は縦断面図であり、矢印は冷却空気の流れを示している。
【００２１】
本実施形態の光源装置１１は、高圧水銀ランプ等から成る発光管１１０と、この発光管１１０を覆うように配置され、内面に放物面状の反射面が形成されて前面が開口するリフレクタ１１１と、このリフレクタ１１１の前面開口１１１ａを閉塞する耐熱性のガラス板（透明部材）１１２とを備えている。発光管１１０の基部側の略球状部分は、放電電極があって放電発光する発光部１１０ａである。
【００２２】
上記リフレクタ１１１には、図５（ａ）に示すように、予め前面開口縁の上下左右に等間隔（９０゜間隔）に通風用の切欠部１１１ｂ〜１１１ｅが形成されている。本実施形態では、上記リフレクタ１１１の前面開口縁の左側面の切欠部１１１ｄを吸気口１１３とする一方、この吸気口１１３と向かい合う対向面（右側面）の切欠部１１１ｅは閉塞して、それらの両側面（上下面）の切欠部１１１ｂ，１１１ｃを排気口１１４，１１４としている。
【００２３】
このように、冷却空気の排気口１１４，１１４を吸気口１１３からほぼ９０゜隔てて２箇所設けることによって、吸気口１１３から矢印ａ１で示すように発光管１１０の先端部に流れ込んだ冷却空気が対向面に当たり、対向面側の切欠部１１１ｅ及び前面開口１１１ａが閉塞されていることから、矢印ａ２で示すように奥部に向かって発光管１１０の発光部１１０ａを通ってから、矢印ａ３で示すように両側の排気口１１４，１１４に向かうため、冷却空気はリフレクタ１１１内に停滞することなく発光管１１０の周囲を一様に冷却する。この構成によって、低コストで、光源装置１１が任意の角度に向けて設置された場合にもリフレクタ１１１内を一様に冷却することができる。
【００２４】
以上のように、光源装置１１のリフレクタ１１１内に冷却空気を停滞させることなく全体に循環させることによって、発光管１１０の温度調整を容易にし、且つ発光管１１０の先端部や発光部１１０ａ及びリフレクタ開口１１１ａ付近の冷却効果が得られるため、光源装置１１を任意の角度に向けて設置することが可能となって、低コストで液晶プロジェクタ１の設置角度の制約がなくなる。
【００２５】
また、排気口１１４，１１４を吸気口１１３から両側にほぼ９０゜隔てて配置したことにより、排気口１１４，１１４が吸気口１１３とその対向面の両側中間部に位置するので、冷却空気をリフレクタ１１１内に停滞させることなく全体に循環させる効果がより大きくなる。
【００２６】
なお、本実施形態では、上記のように排気口１１４，１１４を吸気口１１３から両側にほぼ９０゜隔てて配置したが、それ以外でも両側面に排気口１１４，１１４を備えることにより、一定の効果が期待できる。
【００２７】
図６〜図９は、前述したプリズム組み立て部品３６の取付構成を示す図であり、図６は斜め上方から見た分解斜視図、図７は斜め下方から見た分解斜視図、図８は取り付けた状態を示す要部縦断面図、図９はその要部拡大図である。
【００２８】
プリズム組み立て部品３６は、その底部の基台３６０から三方に突出した脚部３６１のネジ貫通孔３６２に取付ネジ３６３を通して、後述する投写レンズ移動機構を内蔵するベース部４０から内側に張り出させた取付部４１の雌ネジ部４１１にネジ止め固定されるようになっている。
【００２９】
上記取付部４１上には、板バネ等の弾性部材４１２から所定間隔で一対の係合片４１３が立設されている。これらの係合片４１３には、それぞれ外側に突出する半球状の凸部４１４が形成されている。
【００３０】
一方、プリズム組み立て部品３６の基台３６０の底面側は中空になっており、対向する内壁には上記各係合片４１３の凸部４１４が弾性的に係合する係合孔３６５が形成されている。
【００３１】
ここで、上記取付部４１側の一対の係合片４１３，４１３は、プリズム組み立て部品３６の基台３６０側の係合孔３６５が形成された内壁の間隔に合わせて立設されていると共に、プリズム組み立て部品３６にその自重より大きな力が働いたときに着脱可能とする弾性を有している。
【００３２】
さらに、取付ネジ３６３には、先端部にのみ取付部４１側の雌ネジ部４１１に螺合する雄ネジ部３６４が形成されている。また、プリズム組み立て部品３６側のネジ貫通孔３６２は、取付ネジ３６３の雄ネジ部３６４より小径に形成すると共に、雄ネジ部３６４が螺合して貫通できる雌ネジ部（図示せず）が形成されている。
【００３３】
上記構成において、プリズム組み立て部品３６を取り付けるときは、プリズム組み立て部品３６の基台３６０を取付部４１の所定位置に合わせて押し込むと、図８，図９に示すように取付部４１の係合片４１３の凸部４１４が基台３６０側の係合孔３６５に弾性的に係合して仮止めされた状態になる。この状態で、プリズム組み立て部品３６側のネジ貫通孔３６２に通された取付ネジ３６３を取付部４１側の雌ネジ部４１１に締め付けると、プリズム組み立て部品３６が取付部４１に固定される。
【００３４】
一方、液晶プロジェクタ１が天吊り状態で１８０°上下反転した状態に設置されている場合にプリズム組み立て部品３６を取り外す場合は、図４に示したようにメンテナンス用開口５の蓋体６を開けて、プリズム組み立て部品３６の取付ネジ３６３をドライバーで回して取付部４１の雌ネジ部４１１から外す。プリズム組み立て部品３６を手で押さえることなく、その取付ネジ３６３を全て外しても、プリズム組み立て部品３６はその自重より大きな弾性を有する係合片４１３で仮止めされた状態にあり、落下しない。プリズム組み立て部品３６の取付ネジ３６３を全て外したら、プリズム組み立て部品３６を手で引っ張ることにより容易に取り外すことができる。従って、液晶プロジェクタ１を天吊り設置したまま容易にプリズム組み立て部品３６の交換が可能となり、メンテナンス時の作業効率が大幅に向上する。
【００３５】
さらに、ドライバーで取付ネジ３６３を取付部４１の雌ネジ部４１１から外しても、プリズム組み立て部品３６のネジ貫通孔３６２からは外れずにとどまるので、ドライバーから取付ネジ３６３を取り外す手間がかからずに次の取付ネジ３６３を外すことができるので、作業効率が更に向上する。
【００３６】
また、上述した技術をＲＧＢ各色毎の液晶パネル３３ｒ，３３ｇ，３３ｂと出射側偏光板３２ｒ，３２ｇ，３２ｂ等を色合成プリズム３１と一体化して成るプリズム組み立て部品３６に適用したことにより、装置を天吊り設置したまま落下の畏れなく容易に部品交換が可能となる効果は大きい。
【００３７】
また、液晶プロジェクタ１を上記のように構成することで、装置を天吊り設置したまま容易に部品交換が可能となり、メンテナンス時の作業効率が大幅に向上した液晶プロジェクタ１を実現できる。
【００３８】
なお、本実施形態では、取付部４１側に弾性を有する係合片４１３を形成し、プリズム組み立て部品３６側に上記係合片４１３の凸部４１４が係合する係合孔３６５を形成したが、その逆でも良く、要は少なくともいずれか一方に弾性を有する係合部を形成すれば上記と同様な作用効果が得られる。
【００３９】
図１０〜図１３は、前述した入射側偏光板３５ｒ，３５ｇ，３５ｂと光学補償板３４ｒ，３４ｇ，３４ｂの取付構成を示す図である。図１０は、本実施形態における光学補償板３４ｇを取り付けたフレームである調整部品４２の固定方法を示す図である。図１０（ａ）は、前述した光学補償板３４ｇを取り付けたフレームである調整部品４２と、補助部材である調整部品ストッパー４４の筐体への取付構成を示す分解斜視図である。図１０（ｂ）は調整部品ストッパー４４を用いて調整部品４２を筐体に固定した状態を示す斜視図、図１１は調整部品４２を筐体に挿入した状態を示す要部上面図である。図１２は、入射側偏光板３５ｒ，３５ｇ，３５ｂや光学補償板３４ｒ，３４ｇ，３４ｂが取り付けられた調整部品４２の側面図、図１３はその要部拡大図である。なお、ここでは、緑色用の光学補償板３４ｇと調整部品ストッパー４４を例に説明するが、赤色用，青色用の偏光板についても同様である。
【００４０】
図１０（ａ）に示すように、入射側偏光板３５ｇと光学補償板３４ｇは調整部品４２に取り付けられている。調整部品４２は、上部および下部の計４つの角に丸みを持たせた、樹脂製で略円板状のフレームである。調整部品４２の両側縁が、装着溝４３１に挿入される。装着溝４３１は、取付部４３の両側壁に形成され、挿入された調整部品４２が回転できるように下端部が丸み（図示せず）をもっている。本実施形態では、装着溝４３１は下部において左右で分断されているが、左右一体となって１つの溝を形成してもよい。
【００４１】
本実施形態では、略円板状の調整部品４２の両側縁中央部に、片面側にやや折曲形成して樹脂の弾性を利用した係合片４２２が形成されている（図１２、図１３も参照）。係合片４２２は、入射側偏光板３５ｇや光学偏光板３４ｇを保持した調整部品４２にその自重より大きな力が働いたときに着脱可能とする弾性を有している。また、これらの係合片４２２の折曲側の面は、図１２、図１３に示すように略円弧状に形成され、取付部４３の装着溝４３１に挿入する時に引っかからないように形成されている。
【００４２】
上記構成において、入射側偏光板３５ｒ，３５ｇ，３５ｂや光学補償板３４ｒ，３４ｇ，３４ｂが取り付けられた調整部品４２を装着溝４３１に取り付けるときは、当該調整部品４２を取付部４３の対応する装着溝４３１に挿入し、係合片４２２の弾性に抗して押し込むと、図１０に示す偏光板３５ｇを保持した調整部品４２のように係合片４２２が取付部４３の装着溝４３１に弾性的に係合して仮止めされた状態になる。
【００４３】
装着溝４３１に挿入後、調整部品４２は、調整部品ストッパー４４を介して筐体に固定される。具体的には、調整部品４２の上部に設けられた、フレーム側位置決め部であり円形の突起である第２固定部６１３（図１１も参照）を、補助部材の第２部分である、調整部品ストッパー４４の半円状の切れ込み６１２で左右および上方向から包み込むように押さえる。それと同時に、他端側に設けられた、補助部材の第１部分である第１固定部６１１において、取付部４３の上面に設けられたネジ取付部４３２に取付ネジ４４１で仮止めする。次に、調整部品４２の上部に設けられた、筐体への取り付けおよび回転調整用の取手片４２１を回転させることにより、第１固定部６１１の遊びの範囲内で光学補償板３４ｇの角度を調整する。調整後、取付ネジ４４１をネジ取付部４３２に本止めして、入射側偏光板３５ｇや光学補償板３４ｇを保持した調整部品４２を筐体にしっかり固定する（図１０（ｂ））。
【００４４】
調整部品を回転させることにより、偏光板の調整を可能とする構成は従来からあったが、それらは調整部品を直接ネジ止めするもの、もしくは調整部品に設けられた突起を押さえて回転しないようにするものもあった。しかし、このように調整部品に補助部材を介して直接圧力をかけてネジ止めを行った場合、調整部品が回転してしまうという問題があった。また、ネジ止めの最後に調整部品がネジと同じ方向に動き、光軸が歪んでしまうという点も問題であった。一方、本実施形態では補助部材４４を介して取付ネジ４４１でネジ止めすることにより、調整部品４２には最小限の光軸に垂直な下向きの力しかかからないため、ネジ止めの過程で調整後の調整部品４２が動くことがなくなり、偏光板の角度を正確かつ容易に調整することができる。
【００４５】
液晶プロジェクタ１が天吊り状態で１８０°上下反転した状態に設置されている場合に、入射側偏光板３５ｒ，３５ｇ，３５ｂや光学補償板３４ｒ，３４ｇ，３４ｂが取り付けられた調整部品４２を取り外す場合は、図４に示すようにメンテナンス用開口５の蓋体６を開けて、調整部品ストッパー４４の取付ネジ４４１をドライバーで回して取り外す。調整部品ストッパー４４は１個の取付ネジ４４１で取り付けられているので、調整部品４２の取手片４２１を持って容易に取り外すことができる。調整部品ストッパー４４を取り外しても、入射偏光板３５ｇや光学補償板３４ｇを保持した調整部品４２は、その自重より大きな弾性を有する係合片４２２で仮止めされた状態にあり、落下しない。調整部品ストッパー４４を取り外したら、調整部品４２の取手片４２１を手で引っ張ることにより容易に取り外すことができる。従って、調整機能を失わずに、液晶プロジェクタ１を天吊り設置したまま容易に入射側偏光板３５ｒ，３５ｇ，３５ｂや光学補償板３４ｒ，３４ｇ，３４ｂの交換が可能となり、メンテナンス時の作業効率が向上する。
【００４６】
また、入射側偏光板３５ｒ，３５ｇ，３５ｂや光学補償板３４ｒ，３４ｇ，３４ｂが取り付けられる平板状の樹脂製の調整部品４２に、樹脂の弾性を利用して、取付部４３の装着溝４３１に圧接する係合片４２２を形成したことにより、低コストで、入射側偏光板３５ｒ，３５ｇ，３５ｂや光学補償板３４ｒ，３４ｇ，３４ｂのメンテナンス性が大きく向上する。
【００４７】
上述したように液晶プロジェクタ１を構成することで、偏光板の角度を調整した後に、その調整状態を保ったままで、偏光板を固定することができる。また、装置を天吊り設置したまま容易に部品交換が可能となり、メンテナンス時の作業効率が向上した液晶プロジェクタ１が実現できる。
【００４８】
なお、本実施形態では、上述した技術を入射側偏光板３５ｒ，３５ｇ，３５ｂと光学補償板３４ｒ，３４ｇ，３４ｂに適用した場合について説明したが、調整部品を介して取り付けられる光学部品であれば他の光学部品にも適用可能である。
【００４９】
図１４（ａ），（ｂ），（ｃ）は、レンズが固定される調整部品の構成及び作用を示す図である。ここでは、図３に示したコンデンサレンズ１９を例にとって説明する。
【００５０】
樹脂で形成された矩形枠体の調整部品４５には、下側の２つの角部にコンデンサレンズ１９の外周縁の一側（図では下側）両端部が嵌合して位置決めされる位置決め用嵌合部４５１，４５１が形成されている。これらの位置決め用嵌合部４５１は、背面側の壁部４５２と前面側の爪部４５３で構成されている。また、これらの位置決め用嵌合部４５１の中間部には、前面側の爪部４５４のみが形成されている。
【００５１】
一方、調整部品４５の上側の２つの角部には、上記位置決め用嵌合部４５１に下側が嵌合したコンデンサレンズ１９の外周縁の上側両端部と弾性を有して嵌合する弾性嵌合部４５５，４５５が形成されている。これらの弾性嵌合部４５５は、枠体４５に立設されて内側に略Ｕ字状に折曲形成されたもので、弾性変形する内側片に爪部４５６が形成されている。
【００５２】
上記の構成において、コンデンサレンズ１９を調整部品４５に取り付けるときは、先ず図１４（ａ）に示すように、コンデンサレンズ１９の一側（下側）を調整部品４５の下側の位置決め用嵌合部４５１，４５１の壁部４５２と爪部４５３の間に挟みこむ。そして、図１４（ｂ）に示すように、コンデンサレンズ１９の他側（上側）を調整部品４５の上側の弾性嵌合部４５５，４５５に滑らせるように押し込む。
【００５３】
これにより、コンデンサレンズ１９の上側両端部が、図１４（ｃ）に示すように弾性嵌合部４５５の爪部４５６に嵌合して、矢印の方向にテンションがかかり、コンデンサレンズ１９が完全に位置決め固定される。
【００５４】
一方、調整部品４５からコンデンサレンズ１９を取り外すときは、２つの弾性嵌合部４５５を外側に弾性変形させて、その爪部４５６とコンデンサレンズ１９との嵌合状態を解除すれば、容易に取り外すことができる。
【００５５】
上記のように、１部品でレンズ固定を可能としたことにより、部品点数が少ないため作業効率のアップやコストダウンを実現することができる。さらに、レンズ固定のための溶着のような専用の設備投資は不要となる。また、調整部品４５及びコンデンサレンズ１９共に再利用が可能となる。
【００５６】
また、調整部品４５を樹脂で形成し、弾性嵌合部４５５を樹脂の弾性を利用して形成したことにより、更なるコストダウンを実現することができる。
【００５７】
上述したような技術を用いて液晶プロジェクタ１を構成することで、作業効率のアップやコストダウンを実現し、尚且つ溶着のような特別な設備も必要とせず、調整部品４５及びコンデンサレンズ１９共に再利用が可能となる液晶プロジェクタ１が実現できる。
【００５８】
なお、コンデンサレンズ１９に限らず、調整部品に固定されるレンズであれば各種のレンズに適用することができる。例えば、図３の光学系では図示していないが、一般にＲＧＢ各色の光路長の差を調整するためにリレーレンズが用いられるが、このリレーレンズも調整部品に固定されて取り付けられるので上述した技術が適用可能である。
【００５９】
図１５（ａ）は、本実施形態における偏光板押圧固定部分を示す斜視図である。図１５（ｂ）は、本実施形態における偏光板押圧固定部分に無機偏光板６２３が押圧固定された状態を示す斜視図である。図１５（ｃ）は、本実施形態における偏光板押圧固定部分に無機偏光板６２３が押圧固定された状態を示す、図１５（ｂ）のＬ−Ｌ断面図である。
【００６０】
色合成プリズム３１周辺の部品には、寿命が短く頻繁に交換が必要な部品が多い。よって、本実施形態における投写型映像表示装置は、上蓋６を開ければ容易にこれらの部品にアクセスし、交換できる構造となっている。本実施形態における無機偏光板６２３も寿命が短い部品の１つである。よって、上蓋を開ければそれ以上の蓋体の開閉等を行うことなく、簡便かつ安全に無機偏光板６２３の交換を行うことができる構造が望ましい。しかし、そのような構造を備えるために多くの部品を追加することは望ましくない。
【００６１】
そこで、本実施形態では、図１５（ａ）のように、蓋体に、これと一体となって成形された樹脂製の腕６２２の弾性を利用して無機偏光板６２３の交換および固定を行う。装着の手順は以下の通りである。まず、腕６２２に設けられた、無機偏光板６２３を挿入する際のガイドとなる、Ｌ字状のガイド溝６２１に無機偏光板６２３の端部を押しつける。そして、偏光板が差し込まれる溝である、無機偏光板用溝６２６中を下部にスライドさせる（図１５（ｃ））。無機偏光板６２３の下端が無機偏光板用溝６２６の下部に当たるまで、無機偏光板６２３を挿入する。次に、腕６２２を持ち上げて無機偏光板６２３の上に配置し、無機偏光板６２３を筐体に対して押圧固定する（図１５（ｃ））。
【００６２】
腕６２２は、無機偏光板６２３を固定していない状態（図１５（ａ））では、図１５（ｂ）および（ｃ）に示す固定状態よりも下部に位置する（図示せず）。つまり、腕６２２は無機偏光板６２３の固定状態では通常よりも上部に押し上げられた状態となるため、図１５（ｃ）に示すように、腕６２２が、上固定部６２４において、斜め下に配置された無機偏光板６２３の上側の端部を、弾性力により入射側から斜め下に押さえる構造となっている。また、図１５（ｃ）に示すように、無機偏光板６２３が挿入された無機偏光板用溝６２６の下端部は入射側が切り込み、狭くなり、下固定部６２５を形成している。これらの構造により、無機偏光板６２３を取付部４３の出射側の側面に対して押さえることにより、垂直方向の固定だけではなく、水平方向の固定も可能としている。
【００６３】
本実施形態における無機偏光板６２３は、 ガラス基板上に金属を蒸着したものであり、たとえば「プロフラックス（ＰｒｏＦｌｕｘ）」の商標名のもと、ポラテクノ社より販売されている。本偏光板の表面に指が接触した場合、酸化により偏光板として使用できなくなるため、取り扱いには慎重を要する。よって、無機偏光板６２３の筐体への取り付けには、無機偏光板６２３の側面を持って取り付ける等の配慮が必要である。本発明では、腕６２２にガイド溝６２１を設け、筐体と一体となった腕６２２の弾性を用いた、無機偏光板６２３の簡便な固定法を用いる。これにより、無機偏光板６２３の表面に触れることなく、容易に無機偏光板６２３の無機偏光板用溝６２６への装着ができる。
【００６４】
さらに、上記腕６２２を弾性力に打ち勝つ力で持ち上げて外側に開けば、無機偏光板６２３の取り外しを容易に行うことができる。したがって、本構造により、追加部品を導入することなく、蓋体６を開けさえすれば容易に無機偏光板６２３の交換ができる。これにより、簡単な構成で無機偏光板６２３の固定および交換が可能となり、コストダウンを図ることができる。
【００６５】
また、液晶プロジェクタ１が天吊り状態で１８０°上下反転した状態に設置されている場合にも、腕６２２による固定により無機偏光板６２３は落下しない。しかし、腕６２２を弾性力に打ち勝つ力で動かすだけで無機偏光板６２３の着脱が可能である。したがって、液晶プロジェクタ１を天吊り設置したまま容易に無機偏光板６２３の交換が可能となり、メンテナンス時の作業効率が向上する。
【００６６】
図１６は、光学系の筐体構成を示す分解斜視図である。
【００６７】
本実施形態の光学系１２は、熱収縮が少ない耐熱性樹脂で形成された上面開口の光学系収納部４６に収納され、光学系１２を収納した光学系収納部４６の上面開口が上蓋４７で覆われるようになっている。
【００６８】
従来は上蓋４７全体が耐熱製樹脂で形成されていたが、本実施形態では光源位置に近い高温部に板金製上蓋４７１を使用し、光源位置からある程度離れた低温部には耐熱製樹脂ではない弾性を有する樹脂製上蓋４７２を使用している。具体的には、図３に示した第１インテグレータレンズ１４の上方が板金製上蓋４７１で覆われるので、図１６に示したように僅かな面積で済む。
【００６９】
光学系収納部４６内に収納された光学部品の寸法公差は、上記板金製上蓋４７１及び樹脂製上蓋４７２を一部を切り欠いて形成された簡単なバネ構造部４７３，４７４によって吸収するように構成されている。
【００７０】
以上のように、光学系１２の高温部に板金製上蓋４７１を、低温部に樹脂製上蓋４７２を使用することにより、それぞれの弾性で光学部品の寸法公差を吸収し、且つ確実な固定が可能になる。
【００７１】
従って、光学部品を固定する別部品が不要になるため、部品点数削減、工数削減、更に上蓋４７にコスト高の耐熱製樹脂を使わないため、大幅なコストダウンが実現できる。
【００７２】
また、光学系収納部４６内に収納された光学部品の寸法公差を板金製上蓋４７１と樹脂製上蓋４７２の一部を切り欠いて形成された簡単なバネ構造部４７３，４７４によって吸収することができるので、容易に実現できる。
【００７３】
図１７は、レンズのフレーム６３の固定部分を示す図である。図１７（ａ）は、スライド前のフレーム６３を入射側の斜め上方から見た斜視図である。図１７（ｂ）は、フレーム６３を図１７（ａ）の位置から光軸に垂直な方向にスライドさせ、補助固定部６３１ａ，６３１ｂを形成させた場合の、出射側の斜め上方から見た斜視図である。図１７（ｃ）は、入射側の斜め上方から見た斜視図である。
【００７４】
光学部品を有するフレーム６３は、光軸に垂直な左右方向の調整が必要である。そのためには、フレーム６３をスライドさせて位置を調整後、フレーム６３の両端をネジ止めして固定する必要がある。まず、図１７（ａ）のように、フレーム６３のレンズ取付部分を筐体に挿入する。ここで、レンズ取付部分は図示されていないが、図１４に示すような構造を有する。次に、図１７（ｂ）に示すように、突起部分６３２ａ，６３２ｂが筐体のツメ６３３ａ，６３３ｂとそれぞれ噛み合う状態までフレーム６３をスライドさせ、補助固定部６３１ａ，６３１ｂを形成させる。この状態で、フレーム側ネジ穴６３４ａ，６３４ｂと筐体側ネジ穴６３５ａ，６３５ｂをそれぞれネジ６３６ａ，６３６ｂで仮止めし、図１７（ｃ）に示す主固定部６３７ａ，６３７ｂを形成させる。そして光軸が歪まないようフレーム６３の位置をスライドにより調整した後、ネジをさらに締めて本止めし、フレーム６３の筐体に対する相対的な位置を固定する。
【００７５】
ここで、フレーム６３の可動域は、図１７（ｃ）の筐体側ネジ穴６３５ａ，６３５ｂのそれぞれ左右方向の遊びの範囲であり、これはフレーム６３の調整に必要な範囲を十分カバーする幅をもつ。図１７（ｂ）に示すように、この範囲では突起部分６３２ａ，６３２ｂが筐体のツメ６３３ａ，６３３ｂとそれぞれ常に噛み合っており、補助固定部６３１ａ，６３１ｂを形成している。つまり、液晶プロジェクタ１が天吊り状態で１８０°上下反転して設置された状態でメンテナンス作業を行う場合でも、主固定部６３７ａ，６３７ｂの少なくとも一方において仮のネジ止めを行っておけば、フレームが動いたとしても、フレーム６３が液晶プロジェクタ１からが落下することはない。また、補助固定部６３１ａ，６３１ｂが形成された状態であれば、主固定部６３７ａ，６３７ｂのネジ止めの有無にかかわらず、フレーム６３が落下することはない。
【００７６】
従来は天吊り状態でのフレームの落下を防止するため、フレームを片手で支持しながらネジ止め作業を行う必要があった。しかし、フレーム６３に突起部分６３２ａ，６３２ｂを設け、これを筐体に設けたツメ６３３ａ，６３３ｂと噛み合わせることにより、フレームを片手で支持する必要がなくなり、両手を自由に使って作業が可能となる。したがって、液晶プロジェクタ１を天吊り設置したまま容易かつ安全にフレーム６３に取り付けられたレンズの交換および調整作業が可能となり、コストの増大を伴うことなくメンテナンス時の作業効率が向上する。
【００７７】
なお、補助固定部において、突起部分６３２ａ，６３２ｂおよびツメ６３３ａ，６３３ｂは、それぞれ入射側もしくは出射側のいずれかに設けるだけでもよいが、両方に設けてもよい。また、突起部分６３２ａ，６３２ｂおよびツメ６３３ａ，６３３ｂは、それぞれ１つ、もしくは３つ以上であってもよい。また、補助固定部６３１ａ，６３１ｂは、フレーム側に突起、筐体側にツメがある態様に限られず、フレーム側にツメ、筐体側に突起があってもよいし、突起とツメ以外の態様であってもよい。
【００７８】
図１８は、インテグレータレンズ部分の筐体構成を示す斜視図である。図１８（ａ）は、本実施形態における圧接部材６４１ａ，６４１ｂの使用状態を示す斜視図である。図１８（ｂ）は、本実施形態における圧接部材６４１ａを図１８（ａ）のＭ方向から見た図である。図１８（ｃ）は、本実施形態における圧接部材６４１ａを図１８（ａ）のＮ方向から見た図である。圧接部材６４１ａ，６４１ｂは、たとえば弾力性を有する硬質ゴムでできており、押圧部６５１を有している。
【００７９】
本実施形態の光学系１２は、熱収縮が少ない耐熱性樹脂で形成された上面開口の光学系収納部４６に収納され、光学系１２を収納した光学系収納部４６の上面開口が図１６に示す上蓋４７で覆われるように構成されている。
【００８０】
本実施形態に係る液晶プロジェクタ１は、光源装置１１に一番近い光路上の位置に、図３に示した第１インテグレータレンズ１４を備える。図１８（ａ）に示す第１インテグレータレンズ１４は、左右のリブ間に設けられ、第１インテグレータレンズ１４の厚みよりも広い幅を有する溝６４６，６４９に挿入され固定される。左側のリブ６４５は光路に対し垂直方向である。したがって、インテグレータレンズ１４を把持する、リブ６４５，６４７の間の溝６４６も光路に対し垂直方向である。一方、右側のリブ６４８，６５０のうち、出射側のリブ６５０は光路に対し垂直方向であるが、入射側のリブ６４８は入射側に傾いている。
【００８１】
図１８（ａ）および図１８（ｂ）に示すように、圧接部材６４１ａ，６４１ｂは、それらと一体として形成される突起である、押圧部６５１を有する。押圧部６５１は、圧接部材６４１ａ，６４１ｂがリブ６４５，６４８にそれぞれ装着された状態では溝６４６，６４９の内側に位置する。溝６４６，６４９に挿入されたインテグレータレンズ１４は、押圧部６５１の弾性力により、溝６４６，６４９においてそれぞれ出射側のリブ６４７，６５０に対して押圧され、固定される。右側のリブ６４８に設置された圧接部材６４１ｂは、溝６４９に挿入された第１インテグレータレンズ１４を、出射側の斜め方向に押接する。つまり、左側の圧接部材６４１ａと同様、光路と平行に第１インテグレータレンズ１４を押接する機能に加え、左側の圧接部材６４１ａ方向にも第１インテグレータレンズ１４を押接する機能も有する。これにより、第１インテグレータレンズ１４を光軸に対し垂直に保ち、かつ第１インテグレータレンズ１４の左右方向の位置も正確に調整することが可能となる。つまり、第１インテグレータレンズ１４に入射した光を、ずれることなく正確に出射することが可能となる。なお、右側のリブ６４８もしくは６５０において、第１インテグレータレンズ１４の左右方向および光路方向の押さえとしてそれぞれ１つずつの圧接部材を用いてもよい。また、リブの構成は左右逆であってもよい。
【００８２】
本実施形態で用いた２つの圧接部材６４１ａ、６４１ｂは、左右同一のものである。１つの圧接部材には長軸方向に線対称となるような２カ所の切れ込み６４２，６４３が入っている。また、いずれかの切れ込みと噛み合うように、左右のリブの下部に同一形状の突起６４４が１つずつ形成されている。左右の圧接部材６４１ａ，６４１ｂをそれぞれ１８０°逆の向きに入射側のリブ６４５，６４８を覆うように配置すると、それぞれの圧接部材６４１ａ，６４１ｂの位置がそれぞれのリブ６４５，６４８上で強固に固定される。これにより、第１インテグレータレンズ１４の確実な固定が可能である。また、圧接部材６４１ａ、６４１ｂは左右同一であるため、コストダウンを図ることができる。
【００８３】
以上のように、第１インテグレータレンズ１４の固定に圧接部材６４１ａ，６４１ｂを使用することにより、簡便かつ確実な固定が可能である。
【００８４】
従来もレンズ等の固定に圧接部材が用いられることはあったが、専らレンズ等の固定のみを目的とするものであった。一方、本実施形態に係る圧接部材６４１ａ，６４１ｂは、第１インテグレータレンズ１４を固定するのと同時に、光源が傾いて取り付けられた場合でも、光学部品を透過しない光を圧接部材６４１ａ，６４１ｂで吸収及び反射することにより、リブ６４５，６４８の側面の樹脂を熱から保護する機能をも兼ね備えている。
【００８５】
従って、光学部品を固定するのとは別に、リブ６４５，６４８の側面の樹脂を熱から保護するための追加部品が不要になるため、部品点数削減、工数削減が実現できる。さらに、上蓋４７にコスト高の耐熱性樹脂を使わないため、コストダウンが実現できる。
【００８６】
なお、圧接部材６４１ａ，６４１ｂは金属製の板バネであってもよい。これによれば、樹脂製であるリブ６４５，６４８の側面を、板金で広く覆うことができる。すなわち、光源からの光を板金で吸収及び反射することができ、樹脂性のリブ６４５，６４８の側面を熱から保護することができる。これにより、筐体の耐久性の向上が実現できる。また、圧接機能を兼ねた金属製の板バネを用いれば、新たな部品を設けたり、リブの側面を塗装したり、樹脂自体の色を変えたりする必要がない。これにより、コストダウンを図ることができる。
【００８７】
なお、本実施形態では、光源に最も近いため近傍の樹脂が光の照射により最も劣化しやすいと考えられる、第１インテグレータレンズ１４の固定にのみ圧接部材を使用したが、第２インテグレータレンズ１６や偏光板のうち微調整が不要な入射側偏光板等の光学部品が本構造を有していてもよい。
【００８８】
図１９は、投写レンズ取り外し装置の構成及び作用を示す図、図２０は投写レンズの取付機構を示す分解斜視図である。
【００８９】
図２０に示す投写レンズ３の取付機構は従来と同様で、投写レンズ３は、カメラの交換レンズなどと同様に、ネジ込み式に装着された投写レンズ３の回転を拘束するピンで固定されて、この固定用ピンによる投写レンズ３の回転拘束を解除する押しボタン４８が投写レンズ３の取付部４９の上部に備えられている。図１９に示す本実施形態の投写レンズ取り外し装置５０は、図２に示すように上記押しボタン４８に近接して投写レンズ３の上方に取り付けられる。
【００９０】
図１９に示すように、本実施形態の投写レンズ取り外し装置５０は、上面が図１に示したように本体ケース１上面から露出する投写レンズ取り外しボタン７と、この投写レンズ取り外しボタン７を囲繞する枠体５１と、投写レンズ取り外しボタン７を上方に付勢するコイルバネから成る弾性体５２とを有している。投写レンズ取り外しボタン７には、両側に突出する略円筒形の摺動部材７１が設けられている。一方、枠体５１には、上記投写レンズ取り外しボタン７の摺動部材７１の一側が摺動する第１の傾斜面５１１と、摺動部材７１の他側が摺動する第２の傾斜面５１２と、図２０に示すように投写レンズ３の取付部４９の上部に設けられた押しボタン４８を押圧する押圧部材５１３とが設けられている。ここで、上記摺動部材７１に対して枠体５１とその第１の傾斜面５１１により従動機構が構成され、弾性体５２と枠体５１の第２の傾斜面５１２により復動機構が構成されている。
【００９１】
上記構成において、本体ケース１上面に露出する投写レンズ取り外しボタン７が操作されて図１９（ｂ）に示すように下方向に移動すると、投写レンズ取り外しボタン７に設けた摺動部材７１が枠体５１に設けた第１の傾斜面５１１を摺動し、投写レンズ取り外しボタン７の移動方向と交差する方向へ枠体５１を従動させて、押圧部材５１３により押しボタン４８を押圧することが可能になる。これにより、投写レンズ取付部４９に取り付けられた投写レンズ３の固定ピンによる回転拘束が解除されて、投写レンズ３を回転して取り外すことが可能になる。
【００９２】
また、投写レンズ３を取り外した後には、図１９（ｃ）に示すように投写レンズ取り外しボタン７の下部に設置された弾性体５２の復元力で、投写レンズ取り外しボタン７は初期の位置に自動復帰すると共に、その摺動部材７１の第２の傾斜面５１２との摺動により枠体５１も自動復動することが可能になる。
【００９３】
これにより、投写レンズ取り外しボタン７を押しボタン４８の移動方向と交差する方向に設置することができるので、投写レンズ取り外しボタン７の設置面の制約が少なくなる。従って、投写レンズ取り外しボタン７を本体ケース１の上面に露出するように設置することができるので、投写レンズ取り外しボタン７の操作性が向上した液晶プロジェクタ１が実現できる。
【００９４】
また、投写レンズ取り外しボタン７の操作後に当該投写レンズ取り外しボタン７と枠体５１を元の位置に自動的に復帰させることができる。従って、少ない部品で交差する方向への従動を可能とし、かつ機構の確実な復動が行えるようになる。
【００９５】
なお、押しボタン４８に充分な復元力があれば、この復元力を利用して上述したような復動機構を省略することも可能である。
【００９６】
図２１は、投写レンズ移動装置の要部構成を示す斜視図である。
【００９７】
この投写レンズ移動装置５３は、ベース部４０に内蔵された上下方向移動部材５３１と左右方向移動部材５３２とそれらの駆動機構（図示せず）及び後述する制御機構により構成されている。投写レンズ３は左右方向移動部材５３２に取り付けられて、左右方向移動部材５３２が駆動されると左右方向に移動し、上下方向移動部材５３１が駆動されると、上下方向移動部材５３１と共に左右方向移動部材５３２が上下に移動して、投写レンズ３が上下に移動するように構成されている。
【００９８】
各移動部材５３１，５３２には、移動量制限形状の貫通孔５３３，５３４が互いに連通するように形成され、その両側の開口には分離型フォトインターラプター５４，５４が配置されている。なお、左右方向移動部材５３２は左右方向に単独で移動するため、上下方向移動部材５３１には横長の貫通孔５３３が形成されている。
【００９９】
図２２は、上記投写レンズ移動装置５３の制御機構を示すブロック図であり、制御手段を構成するマイコン５５は、前述した操作表示部８と、上記フォトインタラプター５４からの入力に基づき、上下移動用モータ５６と左右移動用モータ５７を制御するように構成されている。マイコン５５は、各移動部材５３１，５３２が移動して光を遮ったところをフォトインターラプター５４からの出力に基づき検知して移動限界と判断する。なお、移動量が少ない場合には、分離型フォトインターラプター５４，５４の代わりに、通常のコの字型のフォトインターラプターを用いてもよい。
【０１００】
図２３，図２４は、移動量制限の制御例を示すフローチャートである。
【０１０１】
図２３に示すフローチャートの制御例では、先ず操作表示部８からのレンズシフト信号の入力を待って（ステップＳ１１のＮＯループ）、レンズシフト信号の入力が有ると、入力したレンズシフト信号に対応する移動用モータ５６又は５７を対応する方向に駆動制御する（ステップＳ１１のＹＥＳ→ステップＳ１２）。
【０１０２】
その後、フォトインターラプター５４からの信号がＯＦＦになるのを待って（ステップＳ１３のＮＯループ）、フォトインターラプター信号がＯＦＦになると、光が移動部材５３１又は５３２によって遮られたことになるので移動限界を越えたと判断し、駆動していた移動用モータ５６又は５７を停止させる（ステップＳ１３のＹＥＳ→ステップＳ１４）。そして、その移動用モータ５６又は５７を所定時間逆制御して移動量制限内に戻してから、次のレンズシフト信号の入力を待つ（ステップＳ１５→ステップＳ１１のＮＯループ）。
【０１０３】
一方、図２４に示すフローチャートの制御例では、前記と同様、先ず操作表示部８からのレンズシフト信号の入力を待って（ステップＳ２１のＮＯループ）、レンズシフト信号の入力が有ると、入力したレンズシフト信号に対応する移動用モータ５６又は５７を対応する方向に駆動制御する（ステップＳ２１のＹＥＳ→ステップＳ２２）。
【０１０４】
その後、フォトインターラプター５４からの信号がＯＦＦになるのを待って（ステップＳ２３のＮＯループ）、フォトインターラプター信号がＯＦＦになると、光が移動部材５３１又は５３２によって遮られたことになるので移動限界を越えたと判断し、駆動していた移動用モータ５６又は５７を停止させる（ステップＳ２３のＹＥＳ→ステップＳ２４）。そして、逆方向へのレンズシフト信号の入力を待って（ステップＳ２５のＮＯループ）、逆方向へのレンズシフト信号の入力があると、前記ステップＳ２２に戻って移動用モータ５６又は５７の制御を行う（ステップＳ２５→ステップＳ２２）。この制御例では、前記制御例のステップ１５のような所定時間の逆制御を行っていないので、移動限界を超えたらステップＳ２５によって逆方向（戻る方向）へのレンズシフト信号しか受け付けないようにしている。
【０１０５】
以上のように、本実施形態においては、一対のフォトインターラプター５４，５４により、上下左右の移動量制限が可能となるため、コストダウンが可能となる。また、投写レンズ３を移動する部材のみで他部品を介することなく移動量制限が行えるため、精密な移動量制限が可能となる。さらに、投写レンズ移動部材５３１，５３２に開ける貫通孔５３３，５３４の形状により、四角形以外の任意の形状での移動量制限が可能となる。
【０１０６】
なお、上記実施形態では、投写型映像表示装置として光変調素子に液晶パネルを用いた液晶プロジェクタを示したが、液晶パネルを必須とする発明以外は、他の映像光生成系を備える投写型映像表示装置においても本願発明を適用することができる。例えば、ＤＬＰ（Digital Light Processing；テキサス・インスツルメンツ（TI）社の登録商標）方式のプロジェクタにおいても本願発明を適用することができる。
【図面の簡単な説明】
【０１０７】
【図１】本願発明に係る投写型映像表示装置の一実施形態である液晶プロジェクタを示す斜視図である。
【図２】その上ケースを取り外して示した斜視図である。
【図３】光学系の構成例を示す図である。
【図４】メンテナンス用開口の蓋体を開放した状態を示す要部斜視図である。
【図５】本実施形態における光源装置の要部構成及び作用を示す図である。
【図６】本実施形態におけるプリズム組み立て部品の取付構成を示す図で、斜め上方から見た分解斜視図である。
【図７】同じく斜め下方から見た分解斜視図である。
【図８】同じく取り付けた状態を示す要部縦断面図である。
【図９】同じくその要部拡大図である。
【図１０】本実施形態における光学補償板を取り付けたフレームである調整部品の固定方法を示す図である。図１０（ａ）は、前述した光学補償板を取り付けたフレームである調整部品と、補助部材である調整部品ストッパーの筐体への取付構成を示す分解斜視図である。図１０（ｂ）は調整部品ストッパーを用いて調整部品を筐体に固定した状態を示す斜視図である。
【図１１】調整部品を筐体に挿入した状態を示す要部上面図である。
【図１２】入射側偏光板や光学補償板が取り付けられた調整部品の側面図である。
【図１３】同じくその要部拡大図である。
【図１４】本実施形態においてレンズが固定される調整部品の構成及び作用を示す図である。
【図１５（ａ）】本実施形態における偏光板押圧固定部分を示す斜視図である。
【図１５（ｂ）】同じく偏光板押圧固定部分に無機偏光板が押圧固定された状態を示す斜視図である。
【図１５（ｃ）】同じく偏光板押圧固定部分に無機偏光板が押圧固定された状態を示す、図１５（ｂ）のＬ−Ｌ断面図である。
【図１６】本実施形態における光学系の筐体構成を示す分解斜視図である。
【図１７】レンズのフレームの固定部分を示す図である。図１７（ａ）は、スライド前のフレームを入射側の斜め上方から見た斜視図である。図１７（ｂ）は、フレームを図１７（ａ）の位置から光軸に垂直な方向にスライドさせ、補助固定部を形成させた場合の、出射側の斜め上方から見た斜視図である。図１７（ｃ）は、入射側の斜め上方から見た斜視図である。
【図１８】インテグレータレンズ部分の筐体構成を示す斜視図である。図１８（ａ）は、本実施形態における圧接部材の使用状態を示す斜視図である。図１８（ｂ）は、本実施形態における圧接部材を図１８（ａ）のＭ方向から見た図である。図１８（ｃ）は、本実施形態における圧接部材を図１８（ａ）のＮ方向から見た図である。
【図１９】本実施形態における投写レンズ取り外し装置の構成及び作用を示す図である。
【図２０】同じく投写レンズの取付機構を示す分解斜視図である。
【図２１】本実施形態における投写レンズ移動装置の要部構成を示す斜視図である。
【図２２】同じく投写レンズ移動装置の制御機構を示すブロック図である。
【図２３】同じく移動量制限の制御例を示すフローチャートである。
【図２４】同じく移動量制限の他の制御例を示すフローチャートである。
【符号の説明】
【０１０８】
１  液晶プロジェクタ、  １４  第１インテグレータレンズ、  ３４ｒ，３４ｇ，３４ｂ  光学補償板、  ３５ｒ，３５ｇ，３５ｂ  入射側偏光板、  ３６  プリズム組み立て部品、  ４２  調整部品、  ４２１  取手片、  ４２２  係合片、  ４３  取付部、  ４３１  装着溝、  ４３２  ネジ取付部、  ４４  調整部品ストッパー、  ４４１  取付ネジ、  ６１１  第１固定部、  ６１２  切れ込み、  ６１３  第２固定部、  ６２１  ガイド溝、  ６２２  腕、  ６２３  無機偏光板、  ６２４  上固定部、  ６２５  下固定部、  ６２６  無機偏光板用溝、  ６３  フレーム、  ６３１ａ，６３１ｂ  補助固定部、  ６３２ａ，６３２ｂ  突起部分、  ６３３ａ，６３３ｂ  ツメ、  ６３４ａ，６３４ｂ  フレーム側ネジ穴、  ６３５ａ，６３５ｂ  筐体側ネジ穴、  ６３６ａ，６３６ｂ  ネジ、  ６３７ａ，６３７ｂ  主固定部、  ６４１ａ，６４１ｂ  圧接部材、  ６４２，６４３  切れ込み、  ６４４  突起、  ６４５，６４７，６４８，６５０  リブ、  ６４６，６４９  溝、  ６５１  押圧部
【図１】
2010134296.tif 000003
【図２】
2010134296.tif 000004
【図３】
2010134296.tif 000005
【図４】
2010134296.tif 000006
【図５】
2010134296.tif 000007
【図６】
2010134296.tif 000008
【図７】
2010134296.tif 000009
【図８】
2010134296.tif 000010
【図９】
2010134296.tif 000011
【図１０】
2010134296.tif 000012
【図１１】
2010134296.tif 000013
【図１２】
2010134296.tif 000014
【図１３】
2010134296.tif 000015
【図１４】
2010134296.tif 000016
【図１５（ａ）】
2010134296.tif 000017
【図１５（ｂ）】
2010134296.tif 000018
【図１５（ｃ）】
2010134296.tif 000019
【図１６】
2010134296.tif 000020
【図１７】
2010134296.tif 000021
【図１８】
2010134296.tif 000022
【図１９】
2010134296.tif 000023
【図２０】
2010134296.tif 000024
【図２１】
2010134296.tif 000025
【図２２】
2010134296.tif 000026
【図２３】
2010134296.tif 000027
【図２４】
2010134296.tif 000028